(57)【要約】【課題】文書を、安全で効率的に運用する文書管理方法および装置を提供する。【解決手段】複数の計算機端末やサーバ計算機へのログインに必要なバーコード情報を、文書管理装置とは別にバーコードとして保管し、ログイン時、読み取り、バーコード情報と装置内の秘密情報とから、鍵情報を生成し、送信する。また、複数の計算機端末やサーバ計算機へのログイン後、アプリケーションファイルやデータファイルやウェブ文書の保存場所へのパス（経路）を、ラベルまたは文書上にバーコードとして印刷し、呼び出し時、読み取り、保存場所へのパス（経路）からアプリケーションファイルやデータファイルやウェブ文書を計算機端末上に呼び出す。また、ログオフ後、複数の錠装置へのログインに必要なバーコード情報を、文書管理装置とは別にバーコードとして保管し、印刷された文書を書庫などに保管時、鍵情報を生成し、送信する。【選択図】図１
2004310704.tif 000002
【特許請求の範囲】
【請求項１】
バーコード読み取り部と、前記バーコードを復号化する演算部と、復号化されたバーコード情報を保存する記憶部と、前記バーコード情報を送信する通信部と、からなるバーコード読み取り装置において、
前記バーコード読み取り装置のバーコード読み取り部で、バーコードを読み取り、前記バーコード読み取り装置の演算部で、読み取ったバーコードを復号化し、復号化されたバーコード情報をパラメータとし、
または復号化されたバーコード情報と前記バーコード読み取り装置から得られる秘密情報とをパラメータとし、
一方向要約関数に入力し、関数値として鍵情報を生成し、計算機端末やサーバ計算機や錠装置ごとの通信部に送信し、ログインするモードと、
復号化されたバーコード情報のまま出力し、計算機端末やサーバ計算機や錠装置ごとの通信部に送信するモードとを、
もつことを特徴とする文書管理装置。
【請求項２】
バーコードと、
計算機端末やサーバ計算機と、
印刷装置と、
請求項１記載の文書管理装置と、
において
計算機端末のアプリケーションファイルやデータファイルとサーバ計算機のウェブ文書の保存場所へのパス（経路）を、バーコードとして生成し、
印刷装置により、ラベルまたは文書上に印刷し、
前記アプリケーションファイルやデータファイルやウェブ文書の呼び出し時、請求項１記載の文書管理装置で前記ラベルまたは文書上のバーコードを読み取り、前記文書管理装置で前記保存場所へのパス（経路）を前記計算機端末に送信し、前記アプリケーションファイルやデータファイルやウェブ文書を前記計算機端末上に呼び出すことを特徴とする文書管理方法。
【発明の詳細な説明】
【０００１】
【発明の属する技術分野】
本発明は、オフィスの文書の作成、保管、使用に関するものである。オフィスのワーク・フローの中で、現場担当者の生産性、効率性の向上を図り、ＩＳＯ文書・記録や、一般オフィス文書も含め、安全で効果的な運用を実現する。
【０００２】
【従来の技術】
従来の計算機端末やサーバ計算機や錠装置の鍵情報生成装置には、キーボードや、カード読み取り装置や、あらかじめ鍵情報が記録された装置などがある。
非特許文献：Ｒａｉｎｂｏｗ  Ｔｅｃｈｎｏｌｏｇｉｅｓ  Ｔｗｏ−Ｆａｃｔｏｒ  Ａｕｔｈｅｎｔｉｃａｔｉｏｎ  Ｗｈｉｔｅ  Ｐａｐｅｒ  Ｒｅｖ：１．２２００２／０６／０７
【０００３】
鍵情報は、人が他人からわかりにくいものを選んで、控えを残さずに憶えておき、頻繁に変更することが難しく、迅速、正確、安全な鍵情報の生成、保管、使用が難しい。
【０００４】
キーボードでは、鍵情報が増えていくと、鍵情報を忘れたり、入力ミスや入力時の鍵情報の「盗み見」にさらされ、迅速、正確、安全な鍵情報の保管、使用が難しい。
【０００５】
カード読み取り装置では、スキミング装置による「盗聴」にさらされる。
【０００６】
カード読み取り装置やあらかじめ鍵情報が記録された装置では、計算機端末やサーバ計算機や錠装置へのログインのため、個人が持つカードや装置が増えてしまう問題がある。カードや装置が増えると、迅速、正確、安全な鍵情報の保管、使用が難しい。
【０００７】
カードやあらかじめ鍵情報が記録された装置では、「紛失」、「盗難」による「なりすまし」により、カードや装置が不正に使用される可能性があり、計算機端末やサーバ計算機や錠装置の鍵情報を取り替える必要がある。
【０００８】
従来のバーコードを使用した文書管理方法には、作成した文書の文書名、作成年月日、ボリューム名等からバーコードを生成して文書に印刷しておき、そのバーコード情報によって必要としている文書を呼び出す方法がある。
特許文献：特願平０６−１５５６６８
【０００９】
近年、ウェブ文書の管理の必要性が高まっているが、文書の文書名、作成年月日、ボリューム名からバーコードを生成する方法では、計算機端末のアプリケーションファイルやデータファイルとサーバ計算機のウェブ文書とを一つの方法で呼び出すことができない。
【００１０】
【発明が解決しようとする課題】
キーボードでは、鍵情報を忘れたり、入力ミスや入力時の鍵情報の「盗み見」にさらされる。カード読み取り装置では、スキミング装置による「盗聴」にさらされる。カード読み取り装置やあらかじめ鍵情報が内蔵された装置では、個人が持つカードや装置が増えてしまう問題がある。カードや装置が増えると、迅速、正確、安全な鍵情報の保管、使用が難しい。カードやあらかじめ鍵情報が記録された装置では、「紛失」、「盗難」による「なりすまし」により、計算機端末やサーバ計算機や錠装置の鍵情報を取り替える必要がある。
【００１１】
文書の文書名、作成年月日、ボリューム名からバーコードを生成する方法では、計算機端末のアプリケーションファイルやデータファイルとサーバ計算機のウェブ文書とを一つの方法で呼び出すことができない。
【００１２】
本発明は、鍵情報の「盗み見」を防止し、計算機端末やサーバ計算機や錠装置ごとの鍵情報の入力を、一つの文書管理装置で迅速、正確、安全に行うとともに、文書管理装置の「紛失」、「盗難」による「なりすまし」を防止する装置を提供することを目的とする。
【００１３】
また、文書管理装置は、外部装置から独立し、いつでも、どこでも、鍵情報を生成、保管、使用できる。
【００１４】
また、本発明は、計算機端末のアプリケーションファイルやデータファイルやサーバ計算機のウェブ文書の保存場所へのパス（経路）を、バーコードとして生成し、ラベルまたは文書上に印刷し、呼び出し時、文書の保存場所が判らないような場合にも、バーコードを読み取り、計算機端末のアプリケーションファイルやデータファイルとサーバ計算機のウェブ文書とを、端末上に一つの方法で呼び出す方法を提供することを目的とする。
【００１５】
【課題を解決するための手段】
【００１６】
以上の課題を解決するため、請求項１の発明は、バーコード読み取り部と、前記バーコードを復号化する演算部と、復号化されたバーコード情報を保存する記憶部と、前記バーコード情報を送信する通信部と、からなるバーコード読み取り装置において、前記バーコード読み取り装置のバーコード読み取り部で、バーコードを読み取り、前記バーコード読み取り装置の演算部で、読み取ったバーコードを復号化し、復号化されたバーコード情報をパラメータとし、または復号化されたバーコード情報と前記バーコード読み取り装置から得られる秘密情報とをパラメータとし、一方向要約関数に入力し、関数値として鍵情報を生成し、計算機端末やサーバ計算機や錠装置ごとの通信部に送信し、ログインするモードと、復号化されたバーコード情報のまま出力し、計算機端末やサーバ計算機や錠装置ごとの通信部に送信するモードとをもつ。
【００１７】
以上の課題を解決するため、請求項２の発明は、バーコードと、計算機端末やサーバ計算機と、印刷装置と、請求項１記載の文書管理装置と、において計算機端末のアプリケーションファイルやデータファイルとサーバ計算機のウェブ文書の保存場所へのパス（経路）を、バーコードとして生成し、印刷装置により、ラベルまたは文書上に印刷し、前記アプリケーションファイルやデータファイルやウェブ文書の呼び出し時、請求項１記載の文書管理装置で前記ラベルまたは文書上のバーコードを読み取り、前記文書管理装置で前記保存場所へのパス（経路）を前記計算機端末に送信し、前記アプリケーションファイルやデータファイルやウェブ文書を前記計算機端末上に呼び出す。
【００１８】
【発明の実施の形態】
以下、実施の構成を示す。（図２）のように、本発明による文書管理方法および装置は、バーコード〔Ａ〕と、計算機端末やサーバ計算機や錠装置〔Ｂ〕と、文書管理装置〔Ｃ〕と、印刷装置〔Ｄ〕とからなる。
【００１９】
バーコード情報を文書管理装置の外部に保管するバーコード〔Ａ〕は、コンピュータの自動入力システム（自動認識技術）で使われるバーコードで、ＪＡＮコードなどとして商品に貼付され、ＰＯＳシステムと組み合わせ、物流管理・販売管理などに利用されている１次元、または２次元バーコードである。
【００２０】
バーコード〔Ａ〕は、不可視の赤外線吸収インクを使い、カードなどに印刷すればコピーされることなく、セキュリティを高めることができる。
【００２１】
（図１）の文書管理装置〔Ｃ〕の読み取りボタン〔Ｃ１〕を押下し、文書管理装置〔Ｃ〕の読み取り部〔Ｃ５〕の可視光ＬＥＤ＆フォトダイオードペン型スキャンにより、バーコード〔Ａ〕を読み取る。また読み取り部〔Ｃ５〕は、ＣＣＤタッチスキャン、またはレーザースキャン方式でもよい。
【００２２】
文書管理装置〔Ｃ〕の記憶部は、ＲＯＭとＲＡＭを持ち、復号化されたバーコード情報と秘密情報と装置識別番号とを保存する。
【００２３】
文書管理装置〔Ｃ〕の記憶部には、秘密情報を取得するプローブ解析などに対抗するため、空気に触れると記録内容が消滅する揮発性メモリを採用してもよい。
【００２４】
文書管理装置〔Ｃ〕は、復号化されたバーコード情報をそのまま出力する平文ボタン〔Ｃ３〕と、関数値として鍵情報を生成する鍵生成ボタン〔Ｃ２〕とを備える。
【００２５】
文書管理装置〔Ｃ〕の赤外線通信部〔Ｃ４〕は、平文ボタン〔Ｃ３〕、または鍵生成ボタン〔Ｃ２〕を押下し、赤外線通信により、バーコード情報、または鍵情報を送信する。
【００２６】
文書管理装置〔Ｃ〕には、電池を使用して電力供給する。
【００２７】
なお、文書管理装置〔Ｃ〕は、バーコード読み取り部と近距離無線規格とを備える携帯電話や携帯情報端末でもよい。
【００２８】
計算機端末やサーバ計算機や錠装置〔Ｂ〕の赤外線通信部〔Ｂ１〕は、赤外線発光ダイオードや赤外線レーザーで得られる可視光線より波長の長い０．７２〜１００μｍの目に見えない光を使う近距離（最大１０ｍ程度）での赤外線通信により、文書管理装置〔Ｃ〕の赤外線通信部〔Ｃ４〕から、バーコード情報、または鍵情報を受信する。計算機端末やサーバ計算機や錠装置〔Ｂ〕の通信部〔Ｂ１〕と文書管理装置〔Ｃ〕の通信部〔Ｃ４〕との通信は、他の近距離無線規格（フィリップス社：ＮＦＣなど）を使ってもよい。
【００２９】
赤外線通信の人体への影響は問題にならない。
【００３０】
一方向要約関数として、下記の特徴があるハッシュ関数を使う。
ハッシュ関数は、１）入力はどのような長さでも構わない。２）出力の長さは固定されている。３）Ｈ（ｘ）を計算するのは比較的高速。４）Ｈ（ｘ）一方向性である。５）Ｈ（ｘ）は衝突防止性である。
十分に長いハッシュ長を採用すれば、衝突を起こす可能性がなく、Ｈ（ｘ）の一意性を確保でき、データ生成元を特定（同一のバーコード情報と秘密情報から鍵情報が生成されたと認証）できる。パラメータ（ｘ）はバーコード情報と文書管理装置内の秘密情報とする。バーコード情報と秘密情報は、ＪＩＳなどで規格化された符号化文字集合（文字および制御コード）でよい。
【００３１】
計算機端末やサーバ計算機や錠装置〔Ｂ〕の演算部〔Ｂ２〕は、ＣＰＵを持ち、記憶部〔Ｂ３〕は、あらかじめユーザ権限情報が記録されたユーザ権限情報テーブルを持つ。
【００３２】
計算機端末のアプリケーションファイルやデータファイルとサーバ計算機のウェブ文書の保存場所へのパス（経路）はファイルのプロパティ、またはＵＲＬとして取得できる。取得したパス（経路）は、計算機端末のバーコード印刷ソフトウエアと印刷装置〔Ｄ〕とにより、ラベルまたは文書上に印刷する。
【００３３】
以上により、オフィスの文書の作成、保管、使用のワーク・フローの中で、現場担当者の生産性、効率性を向上を図り、ＩＳＯ文書・記録や、一般オフィス文書も含め、安全で効果的な運用を実現する。以下、（図１）、（図２）、（図３）、（図４）により実施の形態を示す。
【００３４】
文書管理装置〔Ｃ〕へログインするため、文書管理装置〔Ｃ〕の電源スイッチをＯＮにする。
【００３５】
バーコード〔Ａ〕を、文書管理装置〔Ｃ〕で読み取る。
【００３６】
文書管理装置〔Ｃ〕で読み取ったバーコード〔Ａ〕を、演算部でＪＩＳなどで規格化された符号化文字集合（文字および制御コード）に復号化する。
【００３７】
セキュリティを高めるために、文書管理装置〔Ｃ〕へのログイン時、個人識別番号（ＩＤ）をバーコード〔Ａ〕として記載したカードを持ち（図３）、文書管理装置〔Ｃ〕の演算部で、あらかじめ記憶部に記録された装置識別番号とカードに含まれた個人識別番号（ＩＤ）を照合し、一致した場合には、文書管理装置〔Ｃ〕へのログインを許可する。（図４−１）また、あらかじめ記録した回数の試行を超え、認証に失敗した場合には、文書管理装置〔Ｃ〕をロックする。
【００３８】
文書管理装置〔Ｃ〕へのログインが許可された場合には、ブザーを鳴らす。
【００３９】
文書管理装置〔Ｃ〕をカードとは別に保管するので、「紛失」、「盗難」により、文書管理装置〔Ｃ〕が不正に使用されない。
【００４０】
文書管理装置〔Ｃ〕へのログイン後、計算機端末へログインするために、計算機端末のログインダイアログを開く。
【００４１】
文書管理装置〔Ｃ〕の平文ボタン〔Ｃ３〕を押下し、復号化されたバーコード情報を、文字列としてそのまま（文書管理装置〔Ｃ〕へのログインで読み込んだＩＤが保存されている。）出力し、文書管理装置〔Ｃ〕の赤外線通信部〔Ｃ４〕より、計算機端末の通信部〔Ｂ１〕にバーコード情報（ＩＤ）を送信する。（図４−２）
【００４２】
送信されたバーコード情報は、ログインダイアログのＩＤフィールドに入力される。
【００４３】
つぎに、鍵生成ボタン〔Ｃ２〕を押下し、復号化されたバーコード情報と文書管理装置〔Ｃ〕内の秘密情報とをパラメータとして一方向要約関数に入力し、関数値として鍵情報（鍵情報がパスワードとなる。）を生成する。（図４−２）
【００４４】
生成された鍵情報は、ハッシュ関数の特徴から、一意性を確保し、データ生成元を特定できる。
【００４５】
バーコードの読み取り、または計算機端末やサーバ計算機や錠装置〔Ｂ〕の通信部〔Ｂ１〕と文書管理装置〔Ｃ〕の通信部〔Ｃ４〕との通信により、文書管理装置〔Ｃ〕が生成する鍵情報の文字種別、文字列長を設定してもよい。
【００４６】
文書管理装置〔Ｃ〕の赤外線通信部〔Ｃ４〕より、計算機端末の通信部〔Ｂ１〕に生成された鍵情報を送信する。
【００４７】
送信された鍵情報は、ログインダイアログのパスワードフィールドに入力される。
【００４８】
送信されたＩＤとパスワードにより、計算機端末へログインする。
【００４９】
計算機端末へのログイン後、サーバ計算機へログインする場合には、同様に計算機端末からバーコード情報（ＩＤ）と鍵情報（パスワード）を送信する。
【００５０】
複数の計算機端末やサーバ計算機へのログイン後、アプリケーションファイルやデータファイルやウェブ文書の保存場所へのパス（経路）を、バーコード〔Ａ〕として生成し、印刷装置〔Ｄ〕により、ラベルまたは文書上に印刷し、呼び出し時、文書管理装置〔Ｃ〕により、ラベルまたは文書上のバーコードを読み取り、平文ボタン〔Ｃ３〕を押下し、バーコード情報を計算機端末〔Ｂ〕の通信部〔Ｂ１〕に送信し、保存場所へのパス（経路）からアプリケーションファイルやデータファイルやウェブ文書を呼び出す。（図４−３）
【００５１】
ログオフ後、印刷された文書を書庫などへの保管時、再び、文書管理装置〔Ｃ〕へログインするため、文書管理装置〔Ｃ〕の電源スイッチをＯＮにする。
【００５２】
セキュリティを高めるために、文書管理装置〔Ｃ〕へのログイン時、個人識別番号（ＩＤ）をバーコード〔Ａ〕として記載したカードを持ち、文書管理装置〔Ｃ〕の演算部で、あらかじめ記憶部に記録された装置識別番号とカードに含まれた個人識別番号（ＩＤ）を照合し、一致した場合には、文書管理装置〔Ｃ〕へのログインを許可する。（図４−１）また、あらかじめ記録した回数の試行を超え、認証に失敗した場合には、文書管理装置〔Ｃ〕をロックする。
【００５３】
文書管理装置〔Ｃ〕へのログインが成功した場合には、ブザーを鳴らす。
【００５４】
文書管理装置をバーコード読み取り装置とし、バーコードを読み取り、鍵生成ボタン〔Ｃ２〕を押下し、復号化されたバーコード情報と文書管理装置〔Ｃ〕内の秘密情報とをパラメータとして一方向要約関数に入力し、関数値として鍵情報（鍵情報がパスワードとなる。）を生成する。（図４−２）
【００５５】
文書管理装置〔Ｃ〕の赤外線通信部〔Ｃ４〕は、生成された鍵情報を、錠装置〔Ｂ〕の通信部〔Ｂ１〕に送信する。
【００５６】
送信された鍵情報により、書庫の錠装置を施錠・解錠する。
【００５７】
インターネット上では、データが変更されたり（「改竄」）、通信行為を否定されたりしてしまう（「否認」）リスクが存在する。このリスクを回避し、インターネット上で安全な通信を行うためのセキュリティ・インフラとしてＰＫＩがあるが、本発明の文書管理装置をＰＫＩトークン（公開鍵暗号方式で使用される公開鍵・秘密鍵・デジタル証明書・使用者属性を保管できる装置）とし、公開鍵・秘密鍵・デジタル証明書・使用者属性を収納し、署名や暗号化、文書の非改ざん性の確認ができる。従来のＵＳＢ接続ＰＫＩトークンは計算機端末に差しっぱなしにしておく必要があり、ＵＳＢポートを１つ減らしてしまうことになる。
【００５８】
【実施例】
計算機端末や複数のサーバ計算機へのログインのために文書管理装置〔Ｃ〕と、ＩＤとパスワードを生成するパラメータ（ＩＤをパスワードを生成するパラメータとしてもよいし、ＩＤとは別のパラメータからパスワードを生成してもよい。）がバーコード〔Ａ〕で印刷されたラベルとを持つ（ポストイットのように表示装置などに貼付してもよい。）（図４−２）
【００５９】
ラベルなどに印刷したバーコード〔Ａ〕を、文書管理装置〔Ｃ〕で読み取る。
【００６０】
文書管理装置〔Ｃ〕で読み取ったバーコード〔Ａ〕を、演算部でＪＩＳなどで規格化された符号化文字集合（文字および制御コード）に復号化する。
【００６１】
セキュリティが必要な企業の場合、セキュリティを高めるために、あらかじめ従業員の個人識別番号（ＩＤ）をバーコード〔Ａ〕として記載したカードを文書管理装置〔Ｃ〕で読み取り、文書管理装置〔Ｃ〕に記録された装置識別番号と個人識別番号（ＩＤ）を照合し、一致した場合、文書管理装置〔Ｃ〕へのログインを許可する。また、あらかじめ、設定した回数の試行を超え、認証に失敗した場合には、文書管理装置〔Ｃ〕をロックする。
【００６２】
文書管理装置〔Ｃ〕へのログインが許可された場合には、ブザーを鳴らす。
【００６３】
文書管理装置〔Ｃ〕へのログイン後、計算機端末へログインするために、ログインダイアログを開く。
【００６４】
文書管理装置〔Ｃ〕の平文ボタン〔Ｃ３〕を押下し、復号化されたバーコード情報を、文字列としてそのまま（文書管理装置〔Ｃ〕へのログインで読み込んだＩＤが保存されている。）出力し、文書管理装置〔Ｃ〕の赤外線通信部〔Ｃ４〕より、計算機端末の通信部〔Ｂ１〕にバーコード情報（ＩＤ）を送信する。
【００６５】
送信されたバーコード情報は、ログインダイアログのＩＤフィールドに入力される。
【００６６】
つぎに、鍵生成ボタン〔Ｃ２〕を押下し、復号化されたバーコード情報と文書管理装置〔Ｃ〕内の秘密情報とをパラメータとして一方向要約関数に入力し、関数値として鍵情報（鍵情報がパスワードとなる。）を生成する。
【００６７】
文書管理装置〔Ｃ〕の赤外線通信部〔Ｃ４〕より、計算機端末の通信部〔Ｂ１〕に生成された鍵情報を送信する。
【００６８】
送信された鍵情報は、ログインダイアログのパスワードフィールドに入力される。
【００６９】
送信されたＩＤとパスワードにより、計算機端末へログインする。
【００７０】
計算機端末へのログイン後、サーバ計算機へログインする場合には、同様に計算機端末からバーコード情報（ＩＤ）と鍵情報（パスワード）を送信する。
【００７１】
複数の計算機端末やサーバ計算機へのログイン後、アプリケーションファイルやデータファイルやウェブ文書の保存場所へのパス（経路）を、バーコード〔Ａ〕として生成し、印刷装置〔Ｄ〕により、ラベルまたは文書上に印刷し、呼び出し時、文書管理装置〔Ｃ〕により、ラベルまたは文書上のバーコードを読み取り、平文ボタン〔Ｃ３〕を押下し、バーコード情報を計算機端末〔Ｂ〕の通信部〔Ｂ１〕に送信し、保存場所へのパス（経路）からアプリケーションファイルやデータファイルやウェブ文書を呼び出す。
【００７２】
ログオフ後、印刷された文書を書庫などへの保管時、再び、文書管理装置〔Ｃ〕へログインするため、文書管理装置〔Ｃ〕の電源スイッチをＯＮにする。
【００７３】
セキュリティを高めるために、文書管理装置〔Ｃ〕へのログイン時、個人識別番号（ＩＤ）をバーコード〔Ａ〕として記載したカードを持ち、文書管理装置〔Ｃ〕の演算部で、あらかじめ記憶部に記録された装置識別番号とカードに含まれた個人識別番号（ＩＤ）を照合し、一致した場合には、文書管理装置〔Ｃ〕へのログインを許可する。また、あらかじめ記録した回数の試行を超え、認証に失敗した場合には、文書管理装置〔Ｃ〕をロックする。
【００７４】
文書管理装置〔Ｃ〕へのログインが成功した場合には、ブザーを鳴らす。
【００７５】
文書管理装置をバーコード読み取り装置とし、バーコードを読み取り、鍵生成ボタン〔Ｃ２〕を押下し、復号化されたバーコード情報と文書管理装置〔Ｃ〕内の秘密情報とをパラメータとして一方向要約関数に入力し、関数値として鍵情報を生成する。
【００７６】
文書管理装置〔Ｃ〕の赤外線通信部〔Ｃ４〕は、生成された鍵情報を、錠装置〔Ｂ〕の通信部〔Ｂ１〕に送信する。
【００７７】
送信された鍵情報により、書庫の錠装置を施錠・解錠する。
【００７８】
【発明の効果】
以上のように、本発明によれば、オフィスの文書の作成、保管、使用のワーク・フローの中で、現場担当者の生産性、効率性を向上し、ＩＳＯ文書・記録や、一般オフィス文書も含め、安全で効果的な運用を実現することができる。
【図面の簡単な説明】
【図１】文書管理装置
【図２】システムの全体構成図
【図３】ブロック構成図  バーコード
【図４】ブロック構成図  文書管理装置
【符号の説明】
Ａ    バーコード
Ｂ    計算機端末やサーバ計算機や錠装置
Ｂ１  通信部
Ｂ２  演算部
Ｂ３  記憶部
Ｃ    文書管理装置
Ｃ１  読み取りボタン
Ｃ２  鍵生成ボタン
Ｃ３  平文ボタン
Ｃ４  通信部
Ｃ５  読み取り部
【図１】
2004310704.tif 000003
【図２】
2004310704.tif 000004
【図３】
2004310704.tif 000005
【図４】
2004310704.tif 000006